(57)【要約】【課題】バックルスイッチにおける導通維持状態をなくすことができるバックルを得る。【解決手段】スライダ６０は、タングの挿込みに応じて回動し、第２移動接点６６をスライド面４６から離間させて前側へスライドする。更に、スライダ６０のスライド途中で第１移動接点６４は第１固定接点５０に接触し、さらに進んで、スライド終了時に第１移動接点６４は第１固定接点５０から離れる。また、スライダ６０は、タングの抜取りに応じて回動し、第１移動接点６４をスライド面４６から離間させて後側へスライドする。更に、スライダ６０のスライド途中で第２移動接点６６は第２固定接点５２に接触し、さらに進んで、スライド終了時に第２移動接点６６は第２固定接点５２から離れる。【選択図】図５
2015043974.tif 000002
【特許請求の範囲】
【請求項１】
シートベルト装置のタングが挿込まれるバックル本体と、
バックルスイッチを構成し、前記バックル本体に設けられた固定接点と、
前記バックルスイッチを構成し、前記バックル本体に対する前記タングの挿込み及び抜取りに応じて移動すると共に、前記挿込み及び前記抜取りの一方の移動途中で前記固定接点に接触し、前記一方の移動終了又は前記挿込み及び前記抜取りの他方の移動開始で、前記固定接点から離れる移動接点と、
を備えるバックル。
【請求項２】
前記移動接点は、前記固定接点に接触した後に、それまでの移動方向と同方向に、さらに移動して移動終了する請求項１に記載のバックル。
【請求項３】
前記移動接点は、前記タングの前記バックル本体への挿込みに応じた移動と、前記タングの前記バックル本体からの抜取りに応じた移動と、で移動経路が切替わり、前記バックル本体に対する前記タングの挿込み及び抜取りの一方に応じた移動では、前記固定接点に接触し、前記バックル本体に対する前記タングの挿込み及び抜取りの他方に応じた移動では、前記固定接点に接触しない請求項１又は請求項２に記載のバックル。
【請求項４】
前記移動接点が設けられ、前記バックル本体に対する前記タングの挿込み及び抜取りに応じて移動すると共に、前記タングの前記バックル本体への挿込みに応じた移動と、前記タングの前記バックル本体からの抜取りに応じた移動と、で姿勢が変わるスライダを備え、前記スライダの姿勢が変わることによって前記移動接点の前記移動経路が切替わる請求項３に記載のバックル。
【請求項５】
前記スライダは、回動することによって前記姿勢を変えて前記固定接点が設けられたスライド面に対して前記移動接点を接離させる請求項４に記載のバックル。
【請求項６】
前記固定接点は、
前記タングの前記バックル本体への挿込みに応じて前記移動接点が接触する第１固定接点と、
前記タングの前記バックル本体からの抜取りに応じて前記移動接点が接触する第２固定接点と、
を備える請求項１から請求項５の何れか１項に記載のバックル。
【発明の詳細な説明】
【技術分野】
【０００１】
本発明は、シートベルト装置のタングが挿込まれるバックルに関する。
【背景技術】
【０００２】
下記特許文献１に開示されたバックルのバックルスイッチでは、スイッチ基板に３つの導電パターンが形成されている。バックルにタングが挿込まれていない状態では、バックルスイッチのスライド部材に設けられた接点部材が、２つの導電パターンに接触して導通している。スライド部材がバックルに挿込まれたタングによって押圧されてスライドされると、スライド部材の接点部材は、それまでとは異なる組合わせの２つの導電パターンに接触して導通する。
【０００３】
このため、このバックルスイッチでは、バックルに対するタングの挿込状態及び抜取状態の何れの状態でも、スライド部材の接点部材は、スイッチ基板の導電パターンに接触し続け、導通維持状態となっている。
【先行技術文献】
【特許文献】
【０００４】
【特許文献１】特開２００８−４１５８３号公報
【発明の概要】
【発明が解決しようとする課題】
【０００５】
本発明は、上記事実を考慮して、バックルスイッチにおける導通維持状態をなくすことができるバックルを得ることが目的である。
【課題を解決するための手段】
【０００６】
請求項１に記載のバックルは、シートベルト装置のタングが挿込まれるバックル本体と、バックルスイッチを構成し、前記バックル本体に設けられた固定接点と、前記バックルスイッチを構成し、前記バックル本体に対する前記タングの挿込み及び抜取りに応じて移動すると共に、前記挿込み及び前記抜取りの一方の移動途中で前記固定接点に接触し、前記一方の移動終了又は前記挿込み及び前記抜取りの他方の移動開始で、前記固定接点から離れる移動接点と、を備えている。
【０００７】
請求項１に記載のバックルによれば、バックルスイッチの移動接点は、バックル本体に対するタングの挿込み及び抜取りによって移動され、移動接点は、移動することによって固定接点に接触して導通される。ここで、移動接点は、挿込み及び抜取りの一方の移動途中で固定接点に接触し、挿込み及び抜取りの一方の移動終了状態、又は、挿込み及び抜取りの他方の移動開始状態では固定接点から離れる。このため、移動接点は、挿込み及び抜取りの一方の移動終了の状態又は挿込み及び抜取りの他方の移動開始の状態で固定接点に接触しておらず、これによって、バックルスイッチにおける導通維持状態をなくすことができる。
【０００８】
請求項２に記載のバックルは、請求項１に記載のバックルにおいて、前記移動接点は、前記固定接点に接触した後に、それまでの移動方向と同方向に、さらに移動して移動終了する。
【０００９】
請求項２に記載のバックルによれば、バックルスイッチの移動接点は、固定接点に接触すると、それまでの移動方向と同方向に移動され、固定接点から離れる。このため、移動接点は、移動終了の状態で固定接点に接触しない。
【００１０】
請求項３に記載のバックルは、請求項１又は請求項２に記載のバックルにおいて、前記移動接点は、前記タングの前記バックル本体への挿込みに応じた移動と、前記タングの前記バックル本体からの抜取りに応じた移動と、で移動経路が切替わり、前記バックル本体に対する前記タングの挿込み及び抜取りの一方に応じた移動では、前記固定接点に接触し、前記バックル本体に対する前記タングの挿込み及び抜取りの他方に応じた移動では、前記固定接点に接触しない。
【００１１】
請求項３に記載のバックルによれば、移動接点は、タングのバックル本体への挿込みに応じた移動と、タングのバックル本体からの抜取りに応じた移動と、で移動経路が切替わる。これによって、移動接点は、タングのバックル本体に対する挿込み及び抜取りの一方の移動では、固定接点に接触するが、タングのバックル本体に対する挿込み及び抜取りの他方の移動では、固定接点に接触しない。このため、移動接点は、バックル本体に対するタングの挿込み及び抜取りで１回しか固定接点に接触しない。これによって、バックルスイッチにおける導通状態を短くできる。
【００１２】
請求項４に記載のバックルは、請求項３に記載のバックルにおいて、前記移動接点が設けられ、前記バックル本体に対する前記タングの挿込み及び抜取りに応じて移動すると共に、前記タングの前記バックル本体への挿込みに応じた移動と、前記タングの前記バックル本体からの抜取りに応じた移動と、で姿勢が変わるスライダを備え、前記スライダの姿勢が変わることによって前記移動接点の前記移動経路が切替わる。
【００１３】
請求項４に記載のバックルによれば、バックルスイッチは、移動接点が設けられたスライダを備えている。スライダは、タングのバックル本体に対する挿込み及び抜取りに応じて移動され、しかも、タングのバックル本体への挿込みと、タングのバックル本体からの抜取りと、で姿勢が変わる。移動接点の移動経路は、スライダの姿勢が変化することによって切替わる。
【００１４】
請求項５に記載のバックルは、請求項４に記載のバックルにおいて、前記スライダは、回動することによって前記姿勢を変えて前記固定接点が設けられたスライド面に対して前記移動接点を接離させる。
【００１５】
請求項５に記載のバックルによれば、スライダは、回動することによって姿勢が変えられ、これによって、固定接点が設けられたスライド面に対して移動接点を接離される。
【００１６】
請求項６に記載のバックルは、請求項１から請求項５の何れか１項に記載のバックルにおいて、前記固定接点は、前記タングの前記バックル本体への挿込みに応じて前記移動接点が接触する第１固定接点と、前記タングの前記バックル本体からの抜取りに応じて前記移動接点が接触する第２固定接点と、を備えている。
【００１７】
請求項６に記載のバックルによれば、各々が固定接点としての第１固定接点及び第２固定接点を備えている。移動接点は、タングのバックル本体への挿込みに応じて第１固定接点に接触される。この移動接点と第１固定接点との接触による電気的な導通によって、タングがバックル本体に挿込まれたことを検出できる。また、移動接点は、タングのバックル本体からの抜取りに応じて第２固定接点に接触される。この移動接点と第２固定接点との接触による電気的な導通によってタングがバックル本体から抜取られたことを検出できる。
【発明の効果】
【００１８】
以上説明したように、本発明に係るバックルは、バックルスイッチにおける導通維持状態をなくすことができる。
【図面の簡単な説明】
【００１９】
【図１】第１の実施の形態に係るバックルを左右方向中間部で切断した断面図である。
【図２】バックル本体にタングが挿込まれた状態を示す図１に対応した断面図である。
【図３】ラッチがタングの上面に接触した状態を示す図１に対応した断面図である。
【図４】ラッチがタングに係合した状態を示す図１に対応した断面図である。
【図５】バックルスイッチを示す断面図で、（Ａ）はバックルスイッチを左右方向中間部で切断した断面図であり、（Ｂ）は（Ａ）のＢ−Ｂ線で切断したバックルスイッチの断面図である。
【図６】図５（Ａ）及び図５（Ｂ）に示される状態からスライダがアームに押圧されることによって、スライダの姿勢が変わった状態を示す図５（Ａ）及び図５（Ｂ）に対応した断面図である。
【図７】図３に示される状態までタングがバックル本体に挿込まれて、第１移動接点が第１固定接点に接触した状態を示す図５（Ａ）及び図５（Ｂ）に対応した断面図である。
【図８】図４に示される状態までタングがバックル本体に挿込まれて、第１移動接点が第１固定接点から離れた状態を示す図５（Ａ）及び図５（Ｂ）に対応した断面図である。
【図９】図８に示される状態からタングの抜取りが開始され、スライダがアームに押圧されることによって、スライダの姿勢が変わった状態を示す図５（Ａ）及び図５（Ｂ）に対応した断面図である。
【図１０】図９に示される状態からタングの抜取り移動に応じてスライダが移動され、第２移動接点が第２固定接点に接触した状態を示す図５（Ａ）及び図５（Ｂ）に対応した断面図である。
【図１１】スライダの斜視図である。
【図１２】スライダの姿勢を示す斜視図で、（Ａ）はアームがスライダを後側へ押圧した状態を示し、（Ｂ）はアームがスライダを前側へ押圧した状態を示す。
【図１３】第２の実施の形態に係るバックルのバックルスイッチを拡大した分解斜視図である。
【図１４】第２の実施の形態に係るバックルのバックルスイッチを上下方向中間部で切断した、図５（Ｂ）に対応する断面図で、（Ａ）はタングがバックル本体に挿込まれた際のスライダの移動経路を示し、（Ｂ）はタングがバックル本体から抜取られる際のスライダの移動経路を示す。
【図１５】第３の実施の形態に係るバックルのバックルスイッチの分解斜視図である。
【図１６】タングがバックル本体に挿込まれて移動接点が第１固定接点に接触するまでスライダがスライドした状態を示すバックルスイッチの側面図である。
【図１７】スライダの荷重受部がラッチに押圧されて下方へスライドした状態を示す図１６に対応した側面図である。
【図１８】押圧されたボタンと共に制限部が前方へ移動され、制限部がスライダの上方へのスライドを阻止した状態を示す図１７に対応した側面図である。
【図１９】タングがバックルから抜取られて移動接点が第２固定接点に接触するまでスライダがスライドした状態を示す図１８に対応した側面図である。
【図２０】ラッチによるスライダの荷重受部への押圧が解消されてスライダが上方へスライドした状態を示す図１９に対応した側面図である。
【発明を実施するための形態】
【００２０】
図１から図２０において、矢印ＦＲは本バックル１０、８０、１００の前側を示し、矢印ＬＨは本バックル１０、８０、１００の左側を示し、矢印ＵＰは本バックル１０、８０、１００の上側を示している。なお、以下の説明において、バックル１０、８０、１００の前後方向、左右方向、上下方向は、バックル１０、８０、１００が搭載される車両の前後方向、左右方向、上下方向とは関係なく、バックル１０、８０、１００に対するタング３０の挿込方向を、便宜上、バックル１０、８０、１００の前側として説明する。
【００２１】
＜第１の実施の形態の構成＞
（バックル本体の構成）
図１に示されるように、バックル１０は、バックル本体を構成するケース１２を備えている。ケース１２の内側には、バックルボディ１４が設けられている。バックルボディ１４は板状の底壁１６を備えており、底壁１６の左右方向両端部からは側壁１８が上方へ向けて延出されている（図１〜図４では左側の側壁１８のみを図示しており、右側の側壁１８については図示を省略）。バックルボディ１４の底壁１６には上下方向に貫通された貫通孔２０が形成されている。貫通孔２０にはイジェクタ２４が前後方向にスライド可能に設けられていると共に、イジェクタ２４は、圧縮コイルばね２６によって後側へ付勢されている。ケース１２の後端からシートベルト装置のタング３０が挿込まれると、イジェクタ２４はタング３０によって前側へ押圧され、これによって、イジェクタ２４は圧縮コイルばね２６の付勢力に抗して前側へスライドされる。
【００２２】
また、ケース１２の内側には、ラッチ３４が設けられている。ラッチ３４は、ケース１２の内側に設けられた図示しない保持機構によって図１に示される初期状態で保持されている。タング３０がケース１２に挿込まれて、イジェクタ２４が前側へスライドすると、保持機構によるラッチ３４の保持が解除され、ラッチ３４は、ばね等の付勢力によって図１の矢印Ａ方向へ回動される。これによって、図３に示されるように、ラッチ３４の先端が、タング３０の上面に接触して半ラッチ状態になる。タング３０がさらにケース１２に挿込まれて、ラッチ３４の先端が、タング３０に形成された孔部３６に対向すると、図４に示されるように、ラッチ３４はさらに回動して、ラッチ３４の先端が、タング３０に形成された孔部３６及びバックルボディ１４の底壁１６に形成された貫通孔２０を貫通する。これによって、タング３０は後側への移動が制限されて、結合状態になる。
【００２３】
また、ケース１２の後側には、ボタン２８が、前後方向にスライド可能に設けられていると共に、図示しない解除機構が設けられている。図４に示されるように、ラッチ３４の先端がタング３０の孔部３６を貫通している状態で、乗員の操作によってボタン２８がケース１２の内側へ押込まれると、解除機構が作動され、ラッチ３４は、図４の矢印Ｂ方向へ回動され、さらに、ラッチ３４は、図示しない保持機構によって図１に示される初期状態で保持される。これによって、タング３０は、非結合状態となり、タング３０は、イジェクタ２４によってバックル１０から押出される。
【００２４】
（バックルスイッチ４０の構成）
図１に示されるように、ケース１２の内側には、バックルスイッチ４０の箱状のハウジング４２が設けられている。図５（Ａ）に示されるように、ハウジング４２の底部４４は、上面が後述するスライダ６０のスライド面４６とされている。図５（Ｂ）に示されるように、スライド面４６の左右方向中央には、共通接点４８が設けられており、共通接点４８は、薄板状で且つ前後方向に長い細幅状に形成されている。共通接点４８の前端部の左側には、固定接点としての薄板状の第１固定接点５０が設けられており、共通接点４８の後端部の右側には、固定接点としての薄板状の第２固定接点５２が設けられている。
【００２５】
共通接点４８、第１固定接点５０、及び第２固定接点５２は、図１に示される送信回路５４に電気的に接続されている。送信回路５４は、車両に搭載されたバッテリーとは別のボタン電池等の小型電池により構成されたバッテリー及び電波を出力するトランスミッタ（何れも図示省略）を備えている。送信回路５４のトランスミッタは、共通接点４８と第１固定接点５０とが導通された場合にスイッチオフ信号を電波として出力し、共通接点４８と第２固定接点５２とが導通された場合にスイッチオン信号を電波として出力する。これにより、例えば、警告灯を点灯又は消灯したり、エンジンの始動を可能としたり、ベルト巻取り力軽減機構の動作状態を設定したり、エアバック装置の動作状態を調整したりするように制御する。
【００２６】
一方、図５に示されるように、バックルスイッチ４０のハウジング４２にはスライダ６０が設けられている。図１１に示されるように、スライダ６０は、板状に形成されている。また、スライダ６０は、前後方向中間部にて左右方向を軸方向に屈曲している。このため、スライダ６０は、左右方向からみてＶ字形状に形成されており、図１２の（Ａ）及び（Ｂ）に示されるように、スライダ６０は、下面の屈曲面稜線部６２を中心に回動できる。
【００２７】
これによって、図５に示されるように、スライダ６０の下面は、屈曲面稜線部６２よりも後側がハウジング４２のスライド面４６に当接していると、屈曲面稜線部６２よりも前側がスライド面４６に対して上側に離間している。また、この状態から、図６に示されるように、スライダ６０が屈曲面稜線部６２を中心に回動して、スライダ６０の下面が、屈曲面稜線部６２よりも前側でスライド面４６に当接すると、屈曲面稜線部６２よりも後側は、スライダ６０の下面が、スライド面４６に対して上側に離間する。
【００２８】
また、図１１に示されるように、スライダ６０の下面には、各々が移動接点としての第１移動接点６４及び第２移動接点６６が設けられている。第１移動接点６４は、スライダ６０の屈曲面稜線部６２よりも前側に設けられており、第１移動接点６４は、スライダ６０の左右方向中央から左側の範囲に形成されている。さらに、第１移動接点６４は、共通接点４８と第１固定接点５０との間隔よりも左右方向に長く形成されており、図７に示されるように、スライダ６０の屈曲面稜線部６２よりも前側がスライド面４６に接した状態では、第１移動接点６４は、共通接点４８及び第１固定接点５０の双方に接触して、共通接点４８と第１固定接点５０とを導通できる。
【００２９】
第２移動接点６６は、スライダ６０の屈曲面稜線部６２よりも後側に設けられており、第２移動接点６６は、スライダ６０の左右方向中央から右側の範囲に形成されている。さらに、第２移動接点６６は、共通接点４８と第２固定接点５２との間隔よりも左右方向に長く形成されており、図１０に示されるように、スライダ６０の屈曲面稜線部６２よりも後側がスライド面４６に接した状態では、第２移動接点６６は、共通接点４８及び第２固定接点５２の双方に接触して、共通接点４８と第２固定接点５２とを導通できる。
【００３０】
また、第１移動接点６４と第２移動接点６６とは、スライダ６０の屈曲面稜線部６２を挟んで前後に分かれて設けられる。このため、第１移動接点６４が共通接点４８及び第１固定接点５０に接触した状態で、第２移動接点６６は、ハウジング４２のスライド面４６から離間し、第２移動接点６６が共通接点４８及び第２固定接点５２に接触した状態で、第１移動接点６４は、スライド面４６から離間する。このため、第１移動接点６４が共通接点４８及び第１固定接点５０に接触した状態で、第２移動接点６６が共通接点４８及び第２固定接点５２に接触することはない。また、図１１に示されるように、スライダ６０の前端部及び後端部には、上側へ向けて当接部６８及び当接部７０がそれぞれ突出形成されている。
【００３１】
一方、図１及び図５（Ａ）に示されるように、バックルスイッチ４０のハウジング４２には、後側からアーム７２が挿入されている。アーム７２は前後方向に長い細幅板状に形成されており、図１に示されるように、アーム７２の後端部は、イジェクタ２４に一体に繋がっている。図１２に示されるように、アーム７２の前端側には、上下に貫通した矩形の孔部７４が形成されている。孔部７４にはスライダ６０の当接部７０が貫通している。
【００３２】
図１２（Ａ）に示されるように、スライダ６０の屈曲面稜線部６２よりも前側が、ハウジング４２のスライド面４６から離間した状態で、アーム７２が前側へスライドすると、スライダ６０の屈曲面稜線部６２よりも前側が、アーム７２の先端に押圧されて、スライダ６０は屈曲面稜線部６２を中心に回動される。これによって、スライダ６０の屈曲面稜線部６２よりも前側が、ハウジング４２のスライド面４６に当接すると共に、スライダ６０の屈曲面稜線部６２よりも後側が、ハウジング４２のスライド面４６から離れる。この状態で、アーム７２が前側へスライドすると、図１２（Ｂ）に示されるように、アーム７２の先端が、スライダ６０の当接部６８に当接して、当接部６８が、アーム７２によって押圧される。これによって、スライダ６０は前側へスライドされる。
【００３３】
また、図１２（Ｂ）に示される状態からアーム７２が後側へスライドすると、スライダ６０の屈曲面稜線部６２よりも後側が、アーム７２の孔部７４の内周部に押圧されて、スライダ６０は屈曲面稜線部６２を中心に回動される。これによって、スライダ６０の屈曲面稜線部６２よりも後側が、ハウジング４２のスライド面４６に当接すると共に、スライダ６０の屈曲面稜線部６２よりも前側が、ハウジング４２のスライド面４６から離れる。この状態で、アーム７２が後側へスライドすると、図１２（Ａ）に示されるように、アーム７２の孔部７４の内周部が、スライダ６０の当接部７０に当接して、当接部７０が、アーム７２によって押圧される。これによって、スライダ６０は後側へスライドされる。
【００３４】
また、図１に示されるように、タング３０がバックル１０のケース１２に挿込まれていない状態では、図５や図６に示されるように、第２移動接点６６は、共通接点４８及び第２固定接点５２よりも後側に位置するように、共通接点４８及び第２固定接点５２の形成位置が設定されている。
【００３５】
更に、図４に示されるように、タング３０の孔部３６にラッチ３４が貫通した結合状態では、図８や図９に示されるように、第１移動接点６４は、共通接点４８及び第１固定接点５０よりも前側に位置するように、共通接点４８及び第１固定接点５０の形成位置が設定されている。
【００３６】
＜第１の実施の形態の作用、効果＞
次に、第１の実施の形態の作用並びに効果について説明する。
【００３７】
本バックル１０では、タング３０がケース１２に挿込まれると、タング３０の先端がイジェクタ２４に当接される。この状態で、タング３０がさらにケース１２に挿込まれると、図２に示されるように、イジェクタ２４がタング３０に押圧されて、イジェクタ２４は、圧縮コイルばね２６の付勢力に抗して前側へスライドされる。これによって、アーム７２が前側へ移動すると、スライダ６０の屈曲面稜線部６２よりも前側が、アーム７２の先端に押圧されて、スライダ６０は、図５の矢印Ｃ方向に、屈曲面稜線部６２を中心に回動される。これによって、図６に示されるように、スライダ６０の下面は、屈曲面稜線部６２よりも前側でハウジング４２のスライド面４６に当接して、屈曲面稜線部６２よりも後側でスライド面４６から離れる。
【００３８】
この状態からタング３０がさらにケース１２に挿込まれて、アーム７２が前側へ移動すると、スライダ６０の当接部６８が、アーム７２に押圧されて、スライダ６０は、前側へスライドされる。このとき、スライダ６０の下面に設けられた第２移動接点６６は、第２固定接点５２上を通過する。しかしながら、この状態では、スライダ６０の屈曲面稜線部６２よりも後側は、ハウジング４２のスライド面４６から離れているため、第２移動接点６６は共通接点４８や第２固定接点５２に接触しない。
【００３９】
この状態からタング３０がさらにケース１２に挿込まれると共に、ハウジング４２内に設けられた保持機構によるラッチ３４の保持が解消されると、ラッチ３４が回動される。これによって、図３に示されるように、ラッチ３４は、半ラッチ状態になり、ラッチ３４の先端はタング３０の上面に当接される。
【００４０】
この状態では、図７に示されるように、スライダ６０の第１移動接点６４は、ハウジング４２の共通接点４８及び第１固定接点５０に接触される。これによって、共通接点４８と第１固定接点５０とが導通され、送信回路５４のトランスミッタから電波であるスイッチオフ信号が送信される。
【００４１】
この半ラッチ状態から、タング３０がさらにケース１２に挿込まれると、ラッチ３４の先端が、タング３０の孔部３６と対向する。これによって、ラッチ３４がさらに回動すると、図４に示されるように、ラッチ３４の先端がタング３０の孔部３６を貫通する。これによって、タング３０のバックル１０への結合状態になり、タング３０は後側へのスライドが阻止される。
【００４２】
また、この状態では、図８に示されるように、スライダ６０が半ラッチ状態のときよりも前側へスライドされて停止される。この状態では、スライダ６０の第１移動接点６４は、共通接点４８及び第１固定接点５０よりも前側へ移動されている。これによって、共通接点４８と第１固定接点５０との導通が解消され、送信回路５４及びバックルスイッチ４０を含んで構成される電気回路に電流は流れない。
【００４３】
一方、タング３０をケース１２から抜取る場合には、ボタン２８が前側へ押圧される。これによって、図４において二点鎖線で示されるように、ボタン２８が乗員によってケース１２の内側へ押込まれると、解除機構が作動され、ラッチ３４は、図４の矢印Ｂ方向へ回動され、さらに、保持機構によってラッチ３４が初期状態で保持される。これによって、ラッチ３４の先端が、タング３０の孔部３６から抜出ると、タング３０は、圧縮コイルばね２６の付勢力を受けるイジェクタ２４によって後側へ押圧される。これによって、タング３０が後側へ移動されると共に、イジェクタ２４が後側へスライドされる。
【００４４】
イジェクタ２４が後側へスライドされることによって、アーム７２が後側へ移動すると、スライダ６０の屈曲面稜線部６２よりも後側が、アーム７２の孔部７４の内周部に押圧されて、スライダ６０は、屈曲面稜線部６２を中心に図８の矢印Ｄ方向へ回動される。これによって、図９に示されるように、スライダ６０の下面は、屈曲面稜線部６２よりも後側でハウジング４２のスライド面４６に当接し、屈曲面稜線部６２よりも前側でスライド面４６から離れる。
【００４５】
この状態で、さらに、イジェクタ２４が後側へスライドされると、スライダ６０の当接部７０が、アーム７２の孔部７４の内周部に押圧されて、スライダ６０は、後側へスライドされる。このとき、スライダ６０の下面に設けられた第１移動接点６４は、第１固定接点５０上を通過する。しかしながら、この状態では、スライダ６０の屈曲面稜線部６２よりも前側は、ハウジング４２のスライド面４６から離れているため、第１移動接点６４は共通接点４８や第１固定接点５０に接触しない。
【００４６】
タング３０の先端がケース１２から抜取られる直前の状態になると、図１０に示されるように、スライダ６０の第２移動接点６６が、ハウジング４２の共通接点４８及び第２固定接点５２に接触する。これによって、共通接点４８と第２固定接点５２とが導通される。
【００４７】
この状態から、タング３０がさらに後側へ移動してケース１２から抜取られると、イジェクタ２４がさらに後側へスライドされる。これによって、図５に示されるように、スライダ６０の第２移動接点６６は、ハウジング４２の共通接点４８及び第２固定接点５２よりも後側へ移動される。これによって、共通接点４８と第２固定接点５２との導通が解消され、送信回路５４及びバックルスイッチ４０を含んで構成される電気回路に電流は流れない。
【００４８】
このように、本バックル１０のバックルスイッチ４０では、ケース１２へのタング３０の挿込み及び抜取りに応じたスライダ６０の移動時に、第１移動接点６４は第１固定接点５０に１回しか接触せず、第２移動接点６６は第２固定接点５２に１回しか接触しない。しかも、スライダ６０の移動が終了した状態で、第１移動接点６４が、共通接点４８と第１固定接点５０とに接触し続けることがなく、第２移動接点６６が、共通接点４８と第２固定接点５２とに接触し続けることがない。これによって、送信回路５４に設けられたバッテリーの消費を抑制できる。
【００４９】
また、半ラッチ状態になり、図７に示されるように、第１移動接点６４が共通接点４８及び第１固定接点５０に接触した状態からタング３０がケース１２に挿込まれず抜取られると、スライダ６０は、後側へ移動するアーム７２によって回動される。これによって、このような場合にも、タング３０の先端がケース１２から抜取られる直前に第２移動接点６６は、共通接点４８及び第２固定接点５２に接触される。
【００５０】
なお、本実施の形態は、ケース１２に対するタング３０の挿込みと抜取りとで、それぞれ異なる移動接点と固定接点とが接触する構成である。しかしながら、本発明がこのような構成に限定されるものではない。例えば、ケース１２に対するタング３０の挿込みと抜取りとで、同じ移動接点と固定接点が接触する構成であってもよい。
【００５１】
また、本実施の形態のバックルスイッチ４０は、ケース１２に対するタング３０の挿込み及び抜取りの双方を検出できる構成であったが、ケース１２に対するタング３０の挿込み及び抜取りの一方のみを検出できる構成とし、他方を別の手段で検出する構成としてもよい。
【００５２】
更に、本実施の形態は、スライダ６０が回動して第１移動接点６４及び第２移動接点６６の移動経路を切替える構成とした。しかしながら、本発明がこのような態様に限定されるものではなく、移動接点が固定接点に接触した後にさらに移動して固定接点から離れるだけの構成であってもよい。例えば、スライダ６０に代えてタング３０のケース１２への抜き挿しに応じて単に前後にスライドするだけで姿勢を変えないスライダを設ける構成としても、このスライダのスライド範囲が、第１移動接点６４が第１固定接点５０よりも前側となる位置から、第２移動接点６６が第２固定接点５２よりも後側となる位置までに設定されればよい。
【００５３】
また、本実施の形態では、タング３０のケース１２への抜き挿しに応じたスライダ６０のスライド範囲を、第１移動接点６４が第１固定接点５０よりも前側の位置から第２移動接点６６が第２固定接点５２よりも後側の位置までとした。しかしながら、本発明がこのような態様に限定されるものではない。例えば、第１移動接点６４が第１固定接点５０に接触した後に、スライダ６０が回動して、第１移動接点６４が第１固定接点５０から離れたり、第２移動接点６６が第２固定接点５２に接触した後に、スライダ６０が回動して、第２移動接点６６が第２固定接点５２から離れたりする構成であってもよい。
【００５４】
更に、本実施の形態は、スライダ６０が回動することによって第１移動接点６４や第２移動接点６６の移動経路が切替わる構成であった。しかしながら、移動接点の移動経路を切替える構成が、このような構成に限定されるものではない。例えば、移動接点が固定接点に接触した後に、スライダが左右方向や上下方向へ移動することによって、移動接点の移動経路が切替わる構成としてもよく、その一例を、第２の実施の形態として以下に説明する。
【００５５】
＜第２の実施の形態＞
図１３に示されるように、第２の実施の形態に係るバックル８０のバックルスイッチ８２は、スライダ８４が、ハウジング４２の底部４４上を前後左右にスライド可能に設けられている。スライダ８４の下面には移動接点８６が設けられている。図１４（Ａ）、（Ｂ）に示されるように、移動接点８６の左右方向の長さは、スライダ８４がハウジング４２の左の側壁８８に接近した状態で、第２固定接点５２よりも左側に位置し、スライダ８４がハウジング４２の右の側壁９０に接近した状態で、第１固定接点５０よりも右側に位置するように設定されている。
【００５６】
また、移動接点８６は、スライダ８４がハウジング４２の左の側壁８８に接近した状態で前側へスライドすることによって、共通接点４８及び第１固定接点５０に接触可能とされている。さらに、移動接点８６は、スライダ８４がハウジング４２の右の側壁９０に当接した状態で後側へスライドすることによって、共通接点４８及び第２固定接点５２に接触可能とされている。
【００５７】
図１３に示されるように、スライダ８４の上側には、ガイドプレート９２が設けられている。ガイドプレート９２は平板状に形成されており、アーム７２の先端に一体形成されている。ガイドプレート９２には、ガイド孔９４が形成されている。ガイド孔９４は、ガイドプレート９２における左後側から右前側へ向けて長い貫通した長孔とされており、スライダ８４の上面から突出形成されたガイドピン９６が入込んでいる。ガイドピン９６は、ガイド孔９４の長手方向両端間で移動可能とされ、ガイドピン９６が、ガイド孔９４に案内されて移動することによってスライダ８４は左右に移動される。
【００５８】
この第２の実施の形態では、タング３０がケース１２に挿込まれると、スライダ８４のガイドピン９６が、ガイド孔９４の内周部によって左前側へ押圧される。これによって、図１４（Ａ）において一点鎖線で示されるように、スライダ８４は左側へスライドされる。ガイドピン９６がガイド孔９４の左後側の端部まで移動した状態で、さらに、ガイド孔９４の内周部がガイドピン９６を押圧すると、スライダ８４が前側へスライドされ、図１４（Ａ）において二点鎖線で示されるように、移動接点８６は、第１固定接点５０に接触される。この状態でガイドピン９６がガイド孔９４の内周部に押圧されると、図１４（Ｂ）において実線で示されるように、スライダ８４は、さらに前側へ移動して、移動接点８６は、第１固定接点５０よりも前側に位置する。
【００５９】
また、タング３０がケース１２から抜取られると、スライダ８４のガイドピン９６が、ガイド孔９４の内周部によって右後側へ押圧される。これによって、図１４（Ｂ）において一点鎖線で示されるように、スライダ８４は右側へスライドされる。ガイドピン９６がガイド孔９４の右前側の端部まで移動した状態で、さらに、ガイド孔９４の内周部がガイドピン９６を押圧すると、スライダ８４が後側へスライドされ、図１４（Ｂ）において二点鎖線で示されるように、移動接点８６は、第２固定接点５２に接触される。この状態でガイドピン９６がガイド孔９４の内周部に押圧されると、図１４（Ａ）において実線で示されるように、スライダ８４は、さらに後側へ移動して、移動接点８６は、第２固定接点５２よりも後側に位置する。
【００６０】
この第２の実施の形態の構成では、図１４（Ａ）、（Ｂ）に示されるように、スライダ８４の移動接点８６は、ケース１２に対するタング３０の抜き挿しに応じて移動経路が切替えられる。このように、ケース１２に対するタング３０の挿込みと抜取りとで、移動接点の移動経路が切替わる構成であれば、他の構成であっても適用できる。
【００６１】
＜第３の実施の形態＞
図１５に示されるように、第３の実施の形態に係るバックル１００のバックルスイッチ１０２は、板状の基板１０４を備えている。基板１０４は、長手方向が前後方向に沿っており、厚さ方向が左右方向に沿っている。基板１０４は、バックルボディ１４（図１参照）の左側の側壁１８の外側（左側）でバックルボディ１４又はケース１２（図１参照）に固定されている。基板１０４の左側面には共通接点１０６、固定接点としての第１固定接点１０８、及び固定接点としての第２固定接点１１０が設けられている。第１固定接点１０８は、共通接点１０６の上下方向中央よりも上側で、共通接点１０６に対して前側へ離間して設けられている。これに対して、第２固定接点１１０は、共通接点１０６の上下方向中央よりも下側で、共通接点１０６に対して後側へ離間して設けられている。
【００６２】
また、バックルスイッチ１０２はスライダガイド１１２を備えている。スライダガイド１１２は板状に形成されており、その厚さ方向は左右方向に沿っている。スライダガイド１１２の上下両端部からは右側へ向けて第１係合部１１４が延出されている。第１係合部１１４は延出方向中間部よりも先端側がスライダガイド１１２の上下方向中央側へ曲がっている。上側の第１係合部１１４は基板１０４の上端部に係合されると共に、下側の第１係合部１１４は基板１０４の下端部に係合され、これによって、スライダガイド１１２は基板１０４に案内されて前後方向にスライドできる。
【００６３】
さらに、スライダガイド１１２下側の第１係合部１１４には連結片１１６が形成されている。連結片１１６は、下側の第１係合部１１４の右側面から右側へ向けて延出されている。連結片１１６の先端側は、基板１０４の下方を通ってバックルボディ１４の左側の側壁１８に形成された前後方向に長いスリット孔（図示省略）を貫通し、イジェクタ２４（図１参照）に連結されている。これによって、スライダガイド１１２はイジェクタ２４と共に前後にスライドされる。
【００６４】
また、バックルスイッチ１０２は、スライダ１１８を備えている。スライダ１１８は板状に形成されており、その厚さ方向は左右方向に沿っている。スライダ１１８の前後両端部からは右側へ向けて第２係合部１２０が延出されている。第２係合部１２０は延出方向中間部よりも先端側がスライダ１１８の前後方向中央側へ曲がっている。これらの第２係合部１２０に対応して、スライダガイド１１２の前後両端部の上下方向略中央からはガイド片１２２が突出形成されている。
【００６５】
スライダ１１８の前側の第２係合部１２０は、スライダガイド１１２の前端部から突出されたガイド片１２２に係合されている。これに対して、スライダ１１８の後側の第２係合部１２０は、スライダガイド１１２の後端部から突出されたガイド片１２２に係合されている。これによって、スライダ１１８はスライダガイド１１２のガイド片１２２に案内されて上下方向にスライドでき、また、スライダ１１８は、イジェクタ２４の前後方向へのスライドによってスライダガイド１１２と共に前後方向へできる。
【００６６】
さらに、スライダ１１８の右側面の略中央には移動接点１２４が設けられている。移動接点１２４の前後両端側部分は、右側へ曲がっており、スライダガイド１１２に形成された矩形の開口部１２６を貫通して、基板１０４の左側面に当接している。
【００６７】
また、スライダ１１８は底板１２８を備えている。底板１２８はスライダ１１８の下端部から右方へ延出されており、底板１２８の先端側部分はバックルボディ１４の底壁１６の下方まで延びている。底板１２８の先端部からは後方へ向けて腕片１３０が延出されており、底板１２８の先端部には底板１２８や腕片１３０よりも厚肉の荷重受部１３２が形成されている。保持機構（図示省略）によるラッチ３４の保持が解除される位置までイジェクタ２４と共にスライダガイド１１２及びスライダ１１８が前側へスライドされると、スライダ１１８の荷重受部１３２がバックルボディ１４の底壁１６に形成された貫通孔２０と上下方向に対向され、この状態では、ラッチ３４の先端がスライダ１１８の荷重受部１３２を下方へ押圧可能である。
【００６８】
さらに、スライダ１１８の上端には上板１３４が設けられている。上板１３４はスライダガイド１１２の上方でスライダガイド１１２の上端部と対向している。この上板１３４とスライダガイド１１２の上端部との間には圧縮コイルばね１３６が設けられている。スライダ１１８は、圧縮コイルばね１３６によって上方へ付勢されており、スライダ１１８に下方への荷重が作用していない状態では、スライダ１１８の底板１２８が下方からスライダガイド１１２の下端部に当接している（図１６参照）。なお、本実施の形態では、スライダ１１８が圧縮コイルばね１３６によって上方へ付勢される構成であるが、圧縮コイルばね１３６に代えて板ばねを用いてもよく、スライダ１１８を上方へ付勢するための構成に関しては、特に限定されるものではない。
【００６９】
また、図１６に示されるように、本実施の形態に係るバックル１００は制限部１３８を備えている。制限部１３８はボタン２８（図１参照）に一体形成されており、ボタン２８と共に前後方向へスライドされる。制限部１３８はボタン２８と共に前方へスライドされることによってスライダガイド１１２に対するスライダ１１８の上下方向の移動軌跡上に移動できる。スライダ１１８がスライダガイド１１２に対して下方へスライドした状態で、制限部１３８がスライダガイド１１２に対するスライダ１１８の上下方向の移動軌跡上に移動されると、スライダ１１８は制限部１３８によって上方へのスライドが阻止される。
【００７０】
本バックル１００のバックルスイッチ１０２では、タング３０がケース１２に挿入され、これによって、イジェクタ２４がタング３０に押圧されて、イジェクタ２４が前方へスライドされると、スライダガイド１１２及びスライダ１１８が前方へスライドされる。図１６において実線で示されるように、保持機構（図示省略）によるラッチ３４の保持が解除される位置までイジェクタ２４がスライドされると、スライダ１１８に設けられた移動接点１２４の一端部が共通接点１０６に接触されて、移動接点１２４の他端部が第１固定接点１０８に接触される。
【００７１】
また、この状態では、イジェクタ２４が保持機構（図示省略）によるラッチ３４の保持が解除される位置までスライドされているため、ラッチ３４が図１７の矢印Ａ方向へ回動される。これによって、ラッチ３４の先端部がタング３０の孔部３６及びバックルボディ１４の底壁１６の貫通孔２０を貫通する。これによって、タング３０のバックル１０への結合状態になると共に、図１７に示されるように、スライダ１１８の荷重受部１３２がラッチ３４の先端によって下方（図１７の矢印Ｇ方向）へ押圧される。これによって、スライダ１１８がスライダガイド１１２に対して下方へスライドされて、移動接点１２４は基板１０４における第１固定接点１０８よりも下側まで下降する。これによって、共通接点１０６と第１固定接点１０８とは、移動接点１２４によって導通された直後に、移動接点１２４による導通が解消される。
【００７２】
次いで、この状態で、ボタン２８が押圧されると、制限部１３８がボタン２８と共に前方へスライドされる。これによって、制限部１３８がスライダ１１８の上方に到達すると、図１８に示されるように、制限部１３８がスライダ１１８の上板１３４の上面に当接されて、スライダ１１８の上方へのスライドが制限部１３８によって阻止される。この状態で、解除機構（図示省略）が作動されることによって、ラッチ３４が図１８の矢印Ｂ方向へ回動されて、ラッチ３４とタング３０との結合が解除されると、圧縮コイルばね２６によって付勢されているイジェクタ２４と共にタング３０が後方へスライドされる。これによって、タング３０がケース１２から抜出る。
【００７３】
また、このようにイジェクタ２４が後方へスライドされると、スライダ１１８は制限部１３８によって上方へのスライドが制限されたまま後方へスライドされる。タング３０がケース１２から抜取られた状態では、図１９に示されるように、スライダ１１８に設けられた移動接点１２４の一端部が第２固定接点１１０に接触されて、移動接点１２４の他端部が共通接点１０６に接触される。さらに、この状態でボタン２８への押圧が解消されると、制限部１３８がボタン２８と共に後方へスライドされ、これによって、制限部１３８によるスライダ１１８の上方へのスライド阻止が解消され、スライダ１１８の底板１２８がスライダガイド１１２の下端部に当接するまでスライダ１１８が圧縮コイルばね１３６の付勢力で上方へスライドされる。
【００７４】
この状態では、図２０に示されるように、移動接点１２４は基板１０４における第２固定接点１１０よりも上側まで上昇する。これによって、共通接点１０６と第２固定接点１１０とは、移動接点１２４によって導通された直後に、移動接点１２４による導通が解消される。
【００７５】
このように、本実施の形態では、スライダ１１８がスライダガイド１１２に対して上下にスライドされることによって移動接点１２４が上下に移動され、タング３０がケース１２に挿入された際の移動接点１２４の移動経路と、タング３０がケース１２から抜取られる際の移動接点１２４の移動経路とを上下方向に切替えることができる。
【００７６】
また、本実施の形態では、タング３０の孔部３６及びバックルボディ１４の底壁１６の貫通孔２０を貫通したラッチ３４によってスライダ１１８の荷重受部１３２が下方へ押圧されないとスライダ１１８が下方へスライドされない。このため、ラッチ３４とタング３０とが結合されないと、スライダ１１８の移動接点１２４による基板１０４の共通接点１０６と第１固定接点１０８との導通が解消されることはない。したがって、共通接点１０６と第１固定接点１０８との導通と導通解消によってラッチ３４とタング３０との結合をより一層確実に検出できる。
【００７７】
さらに、本実施の形態では、ラッチ３４がタング３０の孔部３６及びバックルボディ１４の底壁１６の貫通孔２０から抜ける方向へ回動されて、ラッチ３４によるスライダ１１８の荷重受部１３２への押圧が解消されないとスライダ１１８が上方へスライドされない。このため、ラッチ３４とタング３０との結合が解除されないと、スライダ１１８の移動接点１２４による基板１０４の共通接点１０６と第２固定接点１１０との導通が解消されることはない。したがって、共通接点１０６と第２固定接点１１０との導通と導通解消によってラッチ３４とタング３０との結合解除をより一層確実に検出できる。
【００７８】
なお、本実施の形態では、スライダ１１８の荷重受部１３２がラッチ３４の先端部に押圧されることによってスライダ１１８が下方へスライドされ、荷重受部１３２へのラッチ３４の押圧が解消されることによってスライダ１１８が上方へスライドされる構成であった。しかしながら、ラッチ３４の他の部位やラッチ３４に連動する他の部材によってスライダ１１８が上下にスライドされる構成であってもよい。
【００７９】
また、本実施の形態では、ボタン２８に形成された制限部１３８がスライダ１１８の上側でスライダ１１８と対向することによって、スライダ１１８の上方へのスライドが制限部１３８によって制限される構成であった。しかしながら、ボタン２８に連動する他の部材によってスライダ１１８の上方へのスライドを制限する構成であってもよい。
【符号の説明】
【００８０】
１０    バックル
１２    ケース（バックル本体）
３０    タング
４０    バックルスイッチ
５０    第１固定接点（固定接点）
５２    第２固定接点（固定接点）
６０    スライダ
６４    第１移動接点（移動接点）
６６    第２移動接点（移動接点）
８０    バックル
８２    バックルスイッチ
８４    スライダ
８６    移動接点
１００    バックル
１０２    バックルスイッチ
１０８    第１固定接点（固定接点）
１１０    第２固定接点（固定接点）
１２４    移動接点
【図１】
2015043974.tif 000003
【図２】
2015043974.tif 000004
【図３】
2015043974.tif 000005
【図４】
2015043974.tif 000006
【図５】
2015043974.tif 000007
【図６】
2015043974.tif 000008
【図７】
2015043974.tif 000009
【図８】
2015043974.tif 000010
【図９】
2015043974.tif 000011
【図１０】
2015043974.tif 000012
【図１１】
2015043974.tif 000013
【図１２】
2015043974.tif 000014
【図１３】
2015043974.tif 000015
【図１４】
2015043974.tif 000016
【図１５】
2015043974.tif 000017
【図１６】
2015043974.tif 000018
【図１７】
2015043974.tif 000019
【図１８】
2015043974.tif 000020
【図１９】
2015043974.tif 000021
【図２０】
2015043974.tif 000022